(57)【要約】【課題】  複数枚のラベル分のデータ量がある場合にも１枚のラベルを作成する要領で作業できるラベル作成装置、ラベル作成プログラム及び記録媒体を提供する。【解決手段】  透明テープか不透明テープかの選択を受け付ける（Ｓ７２）。次に、テープ幅と使用枚数を算出し（Ｓ７４）、一覧表示し（Ｓ７５）、選択させる（Ｓ７６）。テンプレートを用いる場合には（Ｓ７７：ＹＥＳ）、選択された（Ｓ７９）テンプレートを適用して情報内容をラベルの印刷領域内に配置する（Ｓ８０）。テンプレートを使わない場合には（Ｓ７７：ＮＯ）、設定されたＥＰＧ情報の項目と印刷順序と文字サイズ（Ｓ８１）に従って、指定された項目の情報内容をラベル上に配置する（Ｓ８２）。配置されたラベルに対しては使用者の編集が可能であり（Ｓ８３）、現在の状態をテンプレートとしてテンプレート記憶エリアに記憶させて登録することもできる（Ｓ８６）。【選択図】  図６
2007026234.tif 000002
【特許請求の範囲】
【請求項１】
長尺状のテープに印刷するラベルを作成するラベル作成装置において、
前記ラベルのラベルサイズを設定するラベルサイズ設定手段と、
前記ラベルサイズ設定手段により設定されたラベルサイズと、使用可能なテープのテープ幅に基づき、当該使用可能テープを使用した場合に必要となるテープ枚数を、全ての使用可能テープについて計算するテープ枚数計算手段と、
当該テープ枚数計算手段により計算された各使用可能テープについてのテープ枚数に基づき、使用するテープのテープ幅を選択するテープ幅選択手段と、
前記ラベルに印刷したい情報である印刷対象情報の配置順序を設定する配置順序設定手段と、
前記印刷対象情報の文字サイズを設定する文字サイズ設定手段と、
前記配置順序設定手段により設定された配置順序と、前記文字サイズ設定手段により設定された文字サイズに基づき、前記印刷対象情報を、前記テープ幅選択手段により選択されたテープ幅に対応し、かつ、前記テープ枚数計算手段により計算された枚数のテープの各印刷領域内に配置する配置手段とを備えたことを特徴とするラベル作成装置。
【請求項２】
前記テープ枚数計算手段は、前記ラベルサイズ設定手段により設定されたラベルの縦サイズを各使用可能テープの幅で除すことにより各テープについてのテープ枚数を計算することを特徴とする請求項１に記載のラベル作成装置。
【請求項３】
前記テープ幅選択手段は、前記テープ枚数計算手段により計算された各使用可能テープについてのテープ枚数と、当該テープのテープ幅の組み合わせの中から使用するテープ枚数とテープ幅の組み合わせを選択することを特徴とする請求項１又は２に記載のラベル作成装置。
【請求項４】
使用するテープの種類を選択するテープ種選択手段と、
ラベルサイズを入力するラベルサイズ入力手段とを備え、
前記ラベルサイズ設定手段は、前記テープ種選択手段により選択されたテープの種類が透明テープの場合には、前記ラベルサイズ入力手段から入力されたラベルサイズを設定し、前記テープ種選択手段により選択されたテープの種類が不透明テープの場合には、当該不透明テープの印刷領域の大きさからテープの重ね合わせ幅を算出し、当該重ね合わせ幅とテープ幅とから算出される設定可能なサイズの中から、前記ラベルサイズ入力手段により選択入力されたラベルサイズを設定することを特徴とする請求項１乃至３のいずれかに記載のラベル作成装置。
【請求項５】
前記印刷対象情報を、前記ラベルの印刷領域内に配置するための配置情報や、配置される印刷対象情報の修飾情報を含む印刷の雛型であるテンプレートを記憶したテンプレート記憶手段と、
前記テンプレート記憶手段に記憶された複数のテンプレートから使用するテンプレートを選択するテンプレート選択手段とを備え、
前記テンプレート記憶手段は、使用可能なテープのテープ幅とテープ枚数に対応するテンプレートを含み、
前記配置手段は、前記テンプレート選択手段により選択されたテンプレートに従って、前記印刷対象情報を配置することを特徴とする請求項１乃至４のいずれかに記載のラベル作成装置。
【請求項６】
前記配置手段により印刷対象情報を配置されたラベルを編集する編集手段と、
当該編集手段により編集されたラベルの配置情報や修飾情報を含む印刷の雛型をテンプレートとしてテンプレート記憶手段に登録するテンプレート登録手段とを備えたことを特徴とする請求項５に記載のラベル作成装置。
【請求項７】
放送番組に関する情報である番組情報を受信する受信手段と、
当該受信手段により受信した番組情報を記憶する番組情報記憶手段と、
前記番組情報記憶手段に記憶された番組情報に対応する放送番組の中から、ラベルを作成する放送番組を指定する番組指定手段と、
当該番組指定手段により指定された放送番組についての番組情報を、前記番組情報記憶手段から取得する番組情報取得手段とを備え、
前記印刷対象情報は、前記番組情報取得手段により取得された番組情報であることを特徴とする請求項１乃至６のいずれかに記載のラベル作成装置。
【請求項８】
前記番組情報は、少なくとも前記放送番組のタイトルを含む複数の項目からなる情報であり、
前記配置手段は、前記番組情報の少なくとも一部の項目の情報を前記各ラベルの印刷領域内に配置することを特徴とする請求項１乃至７のいずれかに記載のラベル作成装置。
【請求項９】
請求項１乃至８のいずれかに記載のラベル作成装置の各種処理手段としてコンピュータを機能させるためのラベル作成プログラム。
【請求項１０】
請求項９に記載のラベル作成プログラムを記録したコンピュータ読取可能な記録媒体。
【発明の詳細な説明】
【技術分野】
【０００１】
本発明は、ラベル作成装置、ラベル作成プログラム及びラベル作成プログラムを記録したコンピュータ読取可能な記録媒体に関するものである。
【背景技術】
【０００２】
近年、ハードディスクレコーダやＤＶＤレコーダが普及し、放送番組を録画して視聴を楽しむことがさらに簡単に行なわれるようになっている。録画の際には、ＥＰＧ（Electronic Program Guide：電子番組表）を利用して録画したい番組の情報を取得し、予約を行なうこともできる。このようなＥＰＧは、放送番組と同様の地上波で送信されると共に、インターネットでも提供されている。最近では、テレビチューナー付きのパソコンも普及してきており、インターネットに接続しつつテレビ受信して録画することも広く行なわれている。
【０００３】
ところで、このように録画が非常に簡単に行えるようになると、録画情報が膨大になり、どの記録媒体になにを録画したかが整理されていないと、録画したものの後から見たい番組にたどり着くことが難しくなって、利便性を享受できなくなるという問題がある。そこで、録画予約や再生等のイベント発生時にラベルを印刷し、録画媒体に貼付したりするためのラベル作成（生成）装置が提案されている（例えば、特許文献１参照。）。
【特許文献１】特開２００３−１３４４４７号公報
【発明の開示】
【発明が解決しようとする課題】
【０００４】
上記従来のラベル生成装置では、ＶＨＳテープ、８ミリテープといった記録媒体にあわせたラベルのテンプレートを用意し、ＥＰＧ等の番組表から取得した番組情報をこのテンプレートに流し込んでラベルを作成する。そして、指定されたタイミング（録画予約時、録画終了時、再生時等）で作成したラベルの印刷を行なう。
【０００５】
しかしながら、録画終了後に番組情報を参照してまとめてラベルを作成したいという場合には対応していなかった。また、ラベルに印刷したいデータ量が多くて１枚のラベルに入りきらなかったり、手元に小さなサイズのラベルしかない場合には、複数枚のラベルを作成するために何度も作業を行なう必要があり不便であった。
【０００６】
本発明は上記問題を解決するためになされたものであり、複数枚のラベル分のデータ量がある場合にも１枚のラベルを作成する要領で作業できるラベル作成装置、ラベル作成プログラム及び記録媒体を提供することを目的とする。
【課題を解決するための手段】
【０００７】
上記目的を達成するために、本発明の請求項１に記載のラベル作成装置は、長尺状のテープに印刷するラベルを作成するラベル作成装置において、前記ラベルのラベルサイズを設定するラベルサイズ設定手段と、前記ラベルサイズ設定手段により設定されたラベルサイズと、使用可能なテープのテープ幅に基づき、当該使用可能テープを使用した場合に必要となるテープ枚数を、全ての使用可能テープについて計算するテープ枚数計算手段と、当該テープ枚数計算手段により計算された各使用可能テープについてのテープ枚数に基づき、使用するテープのテープ幅を選択するテープ幅選択手段と、前記ラベルに印刷したい情報である印刷対象情報の配置順序を設定する配置順序設定手段と、前記印刷対象情報の文字サイズを設定する文字サイズ設定手段と、前記配置順序設定手段により設定された配置順序と、前記文字サイズ設定手段により設定された文字サイズに基づき、前記印刷対象情報を、前記テープ幅選択手段により選択されたテープ幅に対応し、かつ、前記テープ枚数計算手段により計算された枚数のテープの各印刷領域内に配置する配置手段とを備えたことを特徴とする。
【０００８】
また、本発明の請求項２に記載のラベル作成装置は、請求項１に記載の発明の構成に加え、前記テープ枚数計算手段が、前記ラベルサイズ設定手段により設定されたラベルの縦サイズを各使用可能テープの幅で除すことにより各テープについてのテープ枚数を計算することを特徴とする。
【０００９】
また、本発明の請求項３に記載のラベル作成装置は、請求項１又は２に記載の発明の構成に加え、前記テープ幅選択手段が、前記テープ枚数計算手段により計算された各使用可能テープについてのテープ枚数と、当該テープのテープ幅の組み合わせの中から使用するテープ枚数とテープ幅の組み合わせを選択することを特徴とする。
【００１０】
また、本発明の請求項４に記載のラベル作成装置は、請求項１乃至３のいずれかに記載の発明の構成に加え、使用するテープの種類を選択するテープ種選択手段と、ラベルサイズを入力するラベルサイズ入力手段とを備え、前記ラベルサイズ設定手段は、前記テープ種選択手段により選択されたテープの種類が透明テープの場合には、前記ラベルサイズ入力手段から入力されたラベルサイズを設定し、前記テープ種選択手段により選択されたテープの種類が不透明テープの場合には、当該不透明テープの印刷領域の大きさからテープの重ね合わせ幅を算出し、当該重ね合わせ幅とテープ幅とから算出される設定可能なサイズの中から、前記ラベルサイズ入力手段により選択入力されたラベルサイズを設定することを特徴とする。
【００１１】
また、本発明の請求項５に記載のラベル作成装置は、請求項１乃至４のいずれかに記載の発明の構成に加え、前記印刷対象情報を、前記ラベルの印刷領域内に配置するための配置情報や、配置される印刷対象情報の修飾情報を含む印刷の雛型であるテンプレートを記憶したテンプレート記憶手段と、前記テンプレート記憶手段に記憶された複数のテンプレートから使用するテンプレートを選択するテンプレート選択手段とを備え、前記テンプレート記憶手段は、使用可能なテープのテープ幅とテープ枚数に対応するテンプレートを含み、前記配置手段は、前記テンプレート選択手段により選択されたテンプレートに従って、前記印刷対象情報を配置することを特徴とする。
【００１２】
また、本発明の請求項６に記載のラベル作成装置は、請求項５に記載の発明の構成に加え、前記配置手段により印刷対象情報を配置されたラベルを編集する編集手段と、当該編集手段により編集されたラベルの配置情報や修飾情報を含む印刷の雛型をテンプレートとしてテンプレート記憶手段に登録するテンプレート登録手段とを備えたことを特徴とする。
【００１３】
また、本発明の請求項７に記載のラベル作成装置は、請求項１乃至６のいずれかに記載の発明の構成に加え、放送番組に関する情報である番組情報を受信する受信手段と、当該受信手段により受信した番組情報を記憶する番組情報記憶手段と、前記番組情報記憶手段に記憶された番組情報に対応する放送番組の中から、ラベルを作成する放送番組を指定する番組指定手段と、当該番組指定手段により指定された放送番組についての番組情報を、前記番組情報記憶手段から取得する番組情報取得手段とを備え、前記印刷対象情報は、前記番組情報取得手段により取得された番組情報であることを特徴とする。
【００１４】
また、本発明の請求項８に記載のラベル作成装置は、請求項１乃至７のいずれかに記載の発明の構成に加え、前記番組情報が、少なくとも前記放送番組のタイトルを含む複数の項目からなる情報であり、前記配置手段は、前記番組情報の少なくとも一部の項目の情報を前記各ラベルの印刷領域内に配置することを特徴とする。
【００１５】
また、本発明の請求項９に記載のラベル作成プログラムは、請求項１乃至８のいずれかに記載の発明の各種処理手段としてコンピュータを機能させる。
【００１６】
また、本発明の請求項１０に記載の記録媒体は、請求項９に記載の発明のラベル作成プログラムを記録している。
【発明の効果】
【００１７】
本発明の請求項１に記載のラベル作成装置は、テープを使って作成するラベルに、たくさんの情報を印刷したい場合、テープ幅を超えてラベルサイズを設定できるようにする。従って、複数枚のテープを一枚のラベルのように取り扱って、印刷したい情報を配置することができる。特に、ＤＶＤ等に録画されている番組内容等の情報を詳細に印刷しておきたい場合等に便利である。
【００１８】
また、本発明の請求項２に記載のラベル作成装置は、請求項１に記載の発明の効果に加え、テープ幅からラベルサイズを簡単に計算することができる。
【００１９】
また、本発明の請求項３に記載のラベル作成装置は、請求項１又は２に記載の発明の効果に加え、ラベルサイズの選択の際に、テープ幅とテープ枚数の組み合わせを提示して選択できるようにしたので、使用者に直感的に分かりやすく作業しやすい環境を提供できる。
【００２０】
また、本発明の請求項４に記載のラベル作成装置は、請求項１乃至３のいずれかに記載の発明の効果に加え、印刷するテープが不透明の場合、重ね合わせ部分を考慮してラベルサイズ候補を示し、使用者がその中から所望のサイズを入力し、それに基づいてラベルサイズを設定できる。また、透明テープの場合は、重ね合わせが印刷部分にかかっても問題がないため、ラベルサイズがテープ幅に左右されないので、使用者が所望のサイズを自由に入力できるように構成可能である。
【００２１】
また、本発明の請求項５に記載のラベル作成装置は、請求項１乃至４のいずれかに記載の発明の効果に加え、テープ幅とテープ枚数に対応させたテンプレートを用意しておけば、簡単に、テープ幅を超える大きさのラベルを作成することができる。
【００２２】
また、本発明の請求項６に記載のラベル作成装置は、請求項５に記載の発明の効果に加え、テンプレートに従って一旦作成されたラベルを使用者が編集し、その結果をテンプレートとして登録しておくことができるので、好みの雛型を次回から用いることができ、手間を省いて好みにあったラベルを作成することができる。
【００２３】
また、本発明の請求項７に記載のラベル作成装置は、請求項１乃至６のいずれかに記載の発明の効果に加え、受信手段が受信した番組情報、例えば、ＥＰＧデータ等を番組情報記憶手段に記憶し、記憶されている番組情報の中からラベルを作成したい番組を番組指定手段により指定し、番組情報を用いてラベルを作成する。
【００２４】
また、本発明の請求項８に記載のラベル作成装置は、請求項１乃至７のいずれかに記載の発明の効果に加え、番組情報が、少なくとも放送番組のタイトルを含む複数の項目からなっているので、例えば、タイトル、サブタイトル、出演者、放送日、放送時間等の番組情報から任意の情報を選択してラベルを作成することができる。
【００２５】
また、本発明の請求項９に記載のラベル作成プログラムは、コンピュータに実行させることにより、請求項１乃至８のいずれかに記載の発明の各種処理手段としての作用効果を奏することができる。
【００２６】
また、本発明の請求項１０に記載の記録媒体をコンピュータに読み取らせ、実行させることにより、請求項９に記載の発明の各種処理手段としての作用効果を奏することができる。
【発明を実施するための最良の形態】
【００２７】
以下、本発明の実施の形態を図面を参照して説明する。以下では、本発明に係るラベル作成装置１として、プリンタに接続したパーソナルコンピュータを例に挙げて説明する。このパーソナルコンピュータには本発明に係る「ラベル作成プログラム」が搭載されている。まず、図１を参照して、ラベル作成装置１について説明する。図１は、ラベル作成装置１の電気的構成を示すブロック図である。
【００２８】
図１に示すように、ラベル作成装置１は、いわゆるテレビパソコンと称されるテレビ放送受信用のチューナーを備えたパーソナルコンピュータに入出力のための周辺機器が接続されて構成されている。ラベル作成装置１には、パーソナルコンピュータの制御を司るＣＰＵ１０が設けられている。このＣＰＵ１０には、ＣＰＵ１０が実行するＢＩＯＳ等のプログラムを記憶したＲＯＭ１１と、データを一時的に記憶するＲＡＭ１２と、データの記憶装置であるハードディスク１３とが、バス１９を介して接続されている。
【００２９】
ハードディスク１３には、ラベル作成プログラムを始めとするラベル作成装置１で実行される各種のプログラムを記憶するプログラム記憶エリア１４、番組情報を蓄積するＥＰＧ情報データベース（ＤＢ）１５、個々の印刷対象情報を印刷領域上にどのような大きさ・フォントでどの位置に配置するか等の印刷の雛型としての情報を予め記憶したテンプレート（詳細後述）の集合体であるテンプレート記憶エリア１６、録画された放送番組データとＥＰＧ情報ＤＢ１５内の番組情報との関連付けを記憶する関連付け情報記憶エリア１７等が設けられている。尚、ＥＰＧ情報ＤＢ１５が本発明の番組情報記憶手段に、テンプレート記憶エリア１６が本発明のテンプレート記憶手段に相当する。
【００３０】
また、ＣＰＵ１０には、バス１９を介して、テレビ放送をアンテナ２０を経由して受信するためのチューナー２１が接続され、チューナー２１で受信した放送データは、アナログ変調部２２、映像音声出力部２３を経て、モニタ（画面）／スピーカ２４に映像出力及び音声出力される。このようにチューナー２１により受信した映像及び音声データは、ビデオレコーダコントローラ３１を介して接続されているビデオレコーダ３２により、ハードディスク（ＨＤＤ）やＤＶＤに録画することができる。ラベル作成装置１は、リモコン２６により遠隔操作することも可能に構成されており、このリモコン２６からの信号を受信するためのリモコン受信部２７もバス１９を介してＣＰＵ１０に接続されている。また、チューナー２１には、受信したデータを検出してＣＰＵ１０に出力するデータ検出部２５が接続されている。
【００３１】
さらに、ＣＰＵ１０には、バス１９を介して、利用者が操作の入力を行うキーボード（Ｋ／Ｂ）４１に接続され、入力の制御を行なうキーボード（Ｋ／Ｂ）コントローラ４２、作成したラベルを印刷するプリンタ６２に接続され、その制御を行なうプリンタコントローラ６１、インターネット５０に接続するためのインターネットコントローラ５１が接続されている。尚、インターネットコントローラ５１が、本発明の受信手段に相当する。
【００３２】
ここで、本実施形態では、プリンタ６２として、長尺状のテープに印刷を行なうテーププリンタを用いている。プリンタ６２は、内部にテープカセットを着脱可能に装着し、複数の発熱素子を有するサーマルヘッドとそのサーマルヘッドに当接されるプラテンローラとの間にテープを走行させてそのテープ状に印刷する印刷機構が設けられている。装着されたテープカセットのテープは、印刷機構で印刷され、印刷機構に装備されたテープカッタにより切断されて排出口から排出される。プリンタ６２における印刷の際は、指定された種類とテープ幅に対応するテープカセットを使用者が装着する。プリンタ６２のテープカセット収納部には、装着されたテープカセットのテープ種類（透明テープか不透明テープか）とテープ幅を検出するためのセンサからなる検出部が設けられ、各テープカセットの、検出部に対向する位置には、内蔵するテープの種類とテープ幅を示す識別孔が開けられ、検出部で検出可能になっている。
【００３３】
本実施形態においては、放送番組のタイトルや放送時間、チャンネル、出演者等の番組情報を提供しているＥＰＧデータをインターネット５０から取得し、加工してハードディスク１３内のＥＰＧ情報ＤＢ１５に蓄積している。ＥＰＧデータは、インターネット５０上に提供されているものに限らず、放送データと共にチューナー２１で受信して取り出すようにしてもよい。その場合には、チューナー２１が本発明の受信手段となる。
【００３４】
次に、以上の構成のラベル作成装置１で実行される処理について図２〜図７を参照して説明する。図２は、ラベル作成処理の全体の流れを示すフローチャートである。図３は、ラベル作成処理の中で実行される、録画予約処理のフローチャートである。図４は、媒体記録処理及び録画処理のフローチャートである。図５は、ラベル作成処理の中で実行される、録画済用ラベル作成処理のフローチャートである。図６は、ラベル作成処理の中で実行される、データ加工編集処理のフローチャートである。図７は、データ加工編集処理の中で実行される、配置処理のフローチャートである。図８は、ラベル作成処理の中で実行される、印刷処理のフローチャートである。
【００３５】
図２に示すように、ラベル作成処理が開始されると、まず、録画を予約するか否かを判断する（Ｓ１）。録画を予約する場合には（Ｓ１：ＹＥＳ）、まず、インターネット５０からＥＰＧデータ（いわゆるｉＥＰＧデータ）を取得する（Ｓ２）。そして、取得したＥＰＧデータを画面表示する（Ｓ３）。ＥＰＧデータが表示されたら、録画予約を受け付けて予約した放送番組のＥＰＧデータをＥＰＧ情報ＤＢ１５に蓄積する録画予約処理を実行する（Ｓ４）。録画予約処理の詳細については図３を参照して後述する。
【００３６】
録画予約処理が終了したら、予約した番組についてすぐにラベルを作成して印刷するか否かを判断する（Ｓ５）。すぐにはラベルを作成しない場合には（Ｓ５：ＮＯ）、ラベル作成処理を終了する。すぐにラベルを作成して印刷する場合には（Ｓ５：ＹＥＳ）、録画予約処理でＥＰＧ情報ＤＢ１５に記憶した予約番組のＥＰＧ情報を取得し（Ｓ６）、Ｓ９に進む。
【００３７】
一方、録画予約でない場合は（Ｓ１：ＮＯ）、既に録画されているデータのためのラベルの作成か否かを判断する（Ｓ７）。録画済データのためのラベル作成でない場合は（Ｓ７：ＮＯ）、ラベル作成処理を終了する。録画済データのためのラベル作成を行なう場合は（Ｓ７：ＹＥＳ）、録画予約時にＥＰＧ情報ＤＢ１５に記憶され、蓄積されているＥＰＧ情報を用いて録画データ用のラベルを作成する録画済用ラベル作成処理を実行する（Ｓ８）。録画済用ラベル作成処理の詳細については図５を参照して後述する。
【００３８】
録画予約した番組のラベルをすぐに作成する場合で（Ｓ５：ＹＥＳ）、その予約番組のＥＰＧ情報を取得した後（Ｓ６）及び、録画済用のラベル作成で用いるＥＰＧ情報を取り出した後（Ｓ８）、ラベル作成対象となるデータの加工編集処理を実行してデータをラベルの印刷領域に配置し（Ｓ９）、その印刷データに基づいてプリンタで印刷を実行させる印刷処理を行って処理を終了する（Ｓ１０）。データ加工編集処理の詳細については図６を参照して、印刷処理の詳細については図８を参照して後述する。
【００３９】
次に、図３を参照して、録画予約処理について説明する。まず、表示されている番組情報を見た使用者のキーボード４１やマウス（図示外）からの入力を受け付ける（Ｓ２１）。そして、その入力内容がカーソルの移動やスクロールか否かを判断する（Ｓ２２）。カーソル移動やスクロールの場合には（Ｓ２２：ＹＥＳ）、対応する移動処理を行ない（Ｓ２３）、入力受付に戻る（Ｓ２１）。
【００４０】
カーソル移動やスクロールでない場合は（Ｓ２２：ＮＯ）、予約したい番組の選択が入力指示されたか否かを判断する（Ｓ２４）。番組選択の場合は（Ｓ２４：ＹＥＳ）、選択用の画面を表示し（Ｓ２５）、録画予約を受け付ける（Ｓ２６）。そして、予約された番組のＥＰＧ情報をＥＰＧ情報ＤＢ１５に追加して保存する（Ｓ２７）。ここで、録画予約した番組についてすぐにラベル作成を行なうこともできるので、そのために、予約した番組をラベル作成すべき対象の番組として一時的にＲＡＭ１２に記憶しておく（Ｓ２８）。そして、ビデオレコーダ３２に録画予約指令を送信し（Ｓ２９）、図２のラベル作成処理に戻る。
【００４１】
一方、番組選択でなかった場合には（Ｓ２４：ＮＯ）、キャンセル指示であるか否かを判断する（Ｓ３０）。キャンセル指示の場合には（Ｓ３０：ＹＥＳ）、キャンセル処理を実行し（Ｓ３１）、ラベル作成全体の処理を終了する。キャンセル指示でない場合には（Ｓ３０：ＮＯ）、録画予約に関するその他の処理を実行し（Ｓ３２）、Ｓ２１の入力受付に戻る。
【００４２】
ここで、ビデオレコーダ３２で実行される、録画予約指令に基づく録画処理、及び、使用者の入力指示によりハードディスクに録画された録画データをＤＶＤに記録する媒体記録処理について、図４を参照して説明する。まず、録画済データをＤＶＤに記録する指示が入力されたか否かを判断する（Ｓ２０１）。ＤＶＤへの記録でなければ（Ｓ２０１：ＮＯ）、そのままＳ２０４に進む。ＤＶＤへの記録であれば（Ｓ２０１：ＹＥＳ）、選択された録画済データを装着されたＤＶＤに記録する（Ｓ２０２）。そして、その録画済データに関連付けられているＥＰＧ情報をＥＰＧ情報ＤＢ１５から読み出してＤＶＤに記録する（Ｓ２０３）。このようにＤＶＤにＥＰＧ情報を記録しておけば、ＤＶＤ内の録画番組についてのラベル作成をする際に、対応するＥＰＧ情報の取得を高速に行なうことができる。
【００４３】
次に、録画予約指令を受信したか否かを判断する（Ｓ２０４）。新たな録画予約指令を受け取っていなければ（Ｓ２０４：ＮＯ）、そのままＳ２０６に進む。
【００４４】
録画予約指令を受信している場合には（Ｓ２０４：ＹＥＳ）、その予約内容を記憶する（Ｓ２０５）。そして、記憶されている予約指令で指定された日時が到来しているか否かを判断する（Ｓ２０６）。指定日時が到来していなければ（Ｓ２０６：ＮＯ）、Ｓ２０１に戻る。指定日時が到来している場合には（Ｓ２０６：ＹＥＳ）、該当の録画予約指令に従って録画を実行する（Ｓ２０７）。そして、ＥＰＧ情報ＤＢ１５内の対応するＥＰＧ情報と関連づけを行ない（Ｓ２０８）、Ｓ２０１に戻って以上の処理を繰り返す。ここで、録画データとＥＰＧ情報の関連づけは、相互対応づけたテーブルを関連付け情報記憶エリア１７に記憶させることにより行なう。尚、録画データとＥＰＧ情報が相互に対応するようになっていればよく、ＥＰＧ情報ＤＢ１５内に直接録画データを示すフラグを記憶させるような構成でも構わない。
【００４５】
次に、図５を参照して、録画済用ラベル作成処理について説明する。まず、ＤＶＤに貼付するためのラベルの作成が指示されたか否かを判断する（Ｓ４１）。ＤＶＤ用ラベルの作成の場合には（Ｓ４１：ＹＥＳ）、ＤＶＤがＤＶＤドライブに挿入されているか否かを判断する（Ｓ４２）。挿入されていない場合には（Ｓ４２：ＮＯ）、ＤＶＤの挿入指示を画面に表示し（Ｓ４３）、Ｓ４２に戻って再びＤＶＤの挿入を検出する。
【００４６】
ＤＶＤの挿入が検出されたら（Ｓ４２：ＹＥＳ）、そのＤＶＤの中にＥＰＧ情報が記憶されているか否かを判断する（Ｓ４４）。ＤＶＤ内にＥＰＧ情報が記憶されていれば（Ｓ４４：ＹＥＳ）、録画情報と関連付けられているＥＰＧ情報をＤＶＤ内で検索する（Ｓ４５）。そして、検索の結果、関連付けられたＥＰＧ情報が発見されたか否かを判断する（Ｓ４６）。発見された場合には（Ｓ４６：ＹＥＳ）、Ｓ６０へ進んでそのＥＰＧ情報をラベル作成する番組として選択するか否かを判断する。
【００４７】
発見されなかった場合（Ｓ４６：ＮＯ）、又は、ＤＶＤ内にＥＰＧ情報が記憶されていなかった場合は（Ｓ４４：ＮＯ）、ＥＰＧ情報ＤＢ１５から録画情報と関連付けられているＥＰＧ情報を検索する（Ｓ４７）。そして、ＥＰＧ情報ＤＢ１５の検索の結果、関連付けられたＥＰＧ情報が発見されたか否かを判断する（Ｓ４８）。発見された場合には（Ｓ４８：ＹＥＳ）、そのＥＰＧ情報をラベル作成する番組として選択するか否かを判断する（Ｓ６０）。Ｓ６０で作成対象番組が選択された場合には（Ｓ６０：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００４８】
また、ＥＰＧ情報ＤＢ１５にＤＶＤ内の録画情報と関連付けられたＥＰＧ情報が発見されなかった場合には（Ｓ４８：ＮＯ）、ＥＰＧ情報ＤＢ１５内のＥＰＧ情報で録画情報と対応すると考えられるものを検索する（Ｓ５４）。例えば、タイトルや、放送時間、チャンネル等の項目情報を用いてマッチングすれば、対応するＥＰＧ情報が見つかる可能性が高い。マッチングの結果、対応するＥＰＧ情報の候補が見つかったかを判断し（Ｓ５５）、発見されなかった場合は（Ｓ５５：ＮＯ）、そのままＳ５７に進み、使用者に手動で入力させる。対応するＥＰＧ情報の候補が発見された場合には（Ｓ５５：ＹＥＳ）、その候補を一覧表示し（Ｓ５６）、使用者に録画情報と対応しているかどうかを入力させる（Ｓ５７）。そして、そのＥＰＧ情報をラベル作成する番組として選択するか否かを判断する（Ｓ５８）。受け付けた入力により、候補からいずれかのＥＰＧ情報が選択された場合には（Ｓ５８：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００４９】
選択されなかった場合には（Ｓ５８：ＮＯ）、対応するＥＰＧ情報が候補の中にはないということなので、ＤＢの中から使用者が任意に検索をかけて対応するＥＰＧ情報を選択できるように一覧表示・検索画面を表示する（Ｓ５９）。そして、使用者からＥＰＧ情報が選択されるのを待ち、選択されたら（６０：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００５０】
また、選択されない場合には（Ｓ６０：ＮＯ）、キャンセル指示があったか否かを判断し（Ｓ６３）、キャンセルされた場合には（Ｓ６３：ＹＥＳ）、ラベル作成処理全体を終了する。キャンセル指示でない場合には（Ｓ６３：ＮＯ）、Ｓ６０に戻って選択されるのを待つ。
【００５１】
一方、ＤＶＤ用ラベルの作成でない場合には（Ｓ４１：ＮＯ）、ＥＰＧ情報ＤＢ１５にＥＰＧ情報が記憶されているか否かを判断する（Ｓ５１）。ＥＰＧ情報ＤＢ１５にＥＰＧ情報が記憶されていない場合には（Ｓ５１：ＮＯ）、ラベル作成はできないため、エラー処理をして（Ｓ６４）、処理全体を終了する。
【００５２】
ＥＰＧ情報ＤＢ１５にＥＰＧ情報が記憶されている場合には（Ｓ５１：ＹＥＳ）、ＥＰＧ情報ＤＢ１５から録画情報と関連付けられているＥＰＧ情報を検索する（Ｓ５２）。そして、ＥＰＧ情報ＤＢ１５の検索の結果、関連付けられたＥＰＧ情報が発見されたか否かを判断する（Ｓ５３）。発見された場合には（Ｓ５３：ＹＥＳ）、Ｓ５７へ進んで、使用者の入力を受け付け、その結果、そのＥＰＧ情報をラベル作成する番組として選択されたか否かを判断する（Ｓ５８）。受け付けた入力により、候補からいずれかのＥＰＧ情報が選択された場合には（Ｓ５８：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００５３】
ＥＰＧ情報ＤＢ１５にＤＶＤ内の録画情報と関連付けられたＥＰＧ情報が発見されなかった場合には（Ｓ５３：ＮＯ）、ＥＰＧ情報ＤＢ１５内のＥＰＧ情報で録画情報と対応すると考えられるものを検索する（Ｓ５４）。例えば、タイトルや、放送時間、チャンネル等の項目情報を用いてマッチングすれば、対応するＥＰＧ情報が見つかる可能性が高い。マッチングの結果、対応するＥＰＧ情報の候補が見つかったかを判断し（Ｓ５５）、発見されなかった場合は（Ｓ５５：ＮＯ）、そのままＳ５７に進み、使用者に手動で入力させる。対応するＥＰＧ情報の候補が発見された場合には（Ｓ５５：ＹＥＳ）、その候補を一覧表示し（Ｓ５６）、使用者に録画情報と対応しているかどうかを入力させる（Ｓ５７）。受け付けた入力により、候補からいずれかのＥＰＧ情報が選択された場合には（Ｓ５８：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００５４】
選択されなかった場合には（Ｓ５８：ＮＯ）、対応するＥＰＧ情報が候補の中にはないということなので、ＤＢの中から使用者が任意に検索をかけて対応するＥＰＧ情報を選択できるように一覧表示・検索画面を表示する（Ｓ５９）。そして、使用者からＥＰＧ情報が選択されるのを待ち、選択されたら（Ｓ６０：ＹＥＳ）、その番組を選択番組としてＲＡＭ１２に記憶し（Ｓ６１）、該当番組のＥＰＧ情報をＤＢから取り出す（Ｓ６２）。そして、図２のラベル作成処理に戻る。ここでも、ラベル作成対象となる番組は、複数個選択することができ、一度に同型のラベルを作成可能となっている。
【００５５】
また、選択されない場合には（Ｓ６０：ＮＯ）、キャンセル指示があったか否かを判断し（Ｓ６３）、キャンセルされた場合には（Ｓ６３：ＹＥＳ）、ラベル作成処理全体を終了する。キャンセル指示でない場合には（Ｓ６３：ＮＯ）、Ｓ６０に戻って選択されるのを待つ。
【００５６】
次に、図６、図７、図９〜図１４を参照して、ラベル作成処理の中で実行される、データ加工編集処理について説明する。図９は、ＥＰＧ情報を表形式に変換した結果のイメージ図である。図１０は、テープ幅選択画面のイメージ図である。図１１は、不透明テープの場合のテンプレートを用いた配置処理画面のイメージ図である。図１２は、透明テープの場合のテンプレートを用いた配置処理画面のイメージ図である。図１３は、透明テープでテンプレートを用いない場合の配置処理画面のイメージ図である。図１４は、不透明テープでテンプレートを用いない場合の配置処理画面のイメージ図である。
【００５７】
図６に示すように、データ加工編集処理が開始されると、まず、ラベル作成対象として選択されている番組について、ＥＰＧ情報ＤＢ１５から取得したＥＰＧ情報を、内部処理のしやすい形式に変換する（Ｓ７０）。例えば、テキストデータで受信したＥＰＧ情報を、図９に示すような、情報項目１０２及び情報内容１０３からなる表形式のＥＰＧ情報１００に変換しておくようにデータ整備を行なう。
【００５８】
次に、透明テープか不透明テープかのテープ種類の選択を受け付ける（Ｓ７２）。ここでテープ種類を選択しておくのは、複数枚を重ねて１枚のラベルのように貼付する場合に、透明テープでは自由にサイズ設定ができるのに対して、不透明テープでは、印刷領域との兼ね合いでサイズに制限があるため、予め選択させるように構成したものである。
【００５９】
次に、選択されたテープ種類に基づいて、ラベル全体のサイズの設定入力を受け付ける（Ｓ７３）。例えば、縦７２ｍｍ、横１００ｍｍのように入力される。ここで、Ｓ７２で不透明テープが選択されている場合、テープの重ね合わせ幅が２ｍｍであり、テープ幅が３６ｍｍ、２４ｍｍ、１８ｍｍの３種類あるとすれば、設定可能な縦サイズは、７０ｍｍ、６８ｍｍ、６６ｍｍとなるため、自由入力ではなく、設定可能サイズの中から選択させるような方法になる。また、入力サイズから±５ｍｍ程度の差を許容するようにして自由入力させるようにしてもよい。
【００６０】
次に、Ｓ７３で設定されたサイズを実現するために、使用可能なテープのテープ幅とそのテープを使った場合の使用枚数を算出する（Ｓ７４）。ここでは、縦サイズをテープ幅で除して算出してもよいし、縦サイズ、テープ幅、使用枚数の組み合わせをテーブルとして記憶しておき、設定されたサイズと使用可能なテープに応じてこのテーブルから読み出すようにしてもよい。
【００６１】
そして、図１０に示すように、Ｓ７４で算出されたテープ幅と使用枚数の候補を一覧にしたテープ幅選択画面２００を表示して（Ｓ７５）、どのテープ幅のテープを用いるかを選択入力させる（Ｓ７６）。図１０の例では、テープ幅選択画面２００には、透明テープで縦サイズ６４ｍｍの場合の候補として、３６ｍｍテープ２枚の候補２０１，２４ｍｍテープ３枚の候補２０２，１８ｍｍテープ４枚の候補２０３の３つが表示され、それぞれの候補の左に設けられたチェックボックスにより選択可能になっている。
【００６２】
次に、テンプレートを用いてラベルを作成するか否かを判断する（Ｓ７７）。これは、使用者が、テンプレート選択コマンドを入力したか否か等により判断できる。テンプレートを用いる場合には（Ｓ７７：ＹＥＳ）、選択されている番組のＥＰＧ情報の内容とともに使用できるテンプレートの一覧を表示する（Ｓ７８）。
【００６３】
例えば、不透明テープが選択されている場合には、図１１に示すように、配置画面３００の左側に、Ｓ７６で選択されたラベルイメージ３１０を表示し、印刷領域３１１を明示している。図１１の例は、不透明テープを３枚で構成する例である。そして、右側に、ＥＰＧ情報の項目を配置したテンプレートを表示している。図１１の例では、テンプレート３２０，３３０，３４０の３個のテンプレートが表示されている。
【００６４】
テンプレート３２０は、最上段の不透明テープにタイトル情報を挿入するタイトルオブジェクト３２１を配置し、中段の不透明テープの上半分にサブタイトル情報を挿入するサブタイトルオブジェクト３２２、下半分にチャンネル情報を挿入するチャンネルオブジェクト３２３と、日付情報を挿入する日付オブジェクト３２４と、録画長情報を挿入する録画長オブジェクト３２５を並べて配置し、下段の不透明テープに出演者情報を挿入する出演者オブジェクト３２６を配置している。
【００６５】
また、テンプレート３３０は、最上段の不透明テープにタイトルオブジェクト３３１とサブタイトルオブジェクト３３２を配置し、中段の不透明テープの上段に日付オブジェクト３３３とチャンネルオブジェクト３３５を、下段に録画した時間帯の録画時間情報を挿入する録画時間オブジェクト３３４と録画長オブジェクト３３６を並べて配置し、下段の不透明テープに出演者情報を挿入する出演者オブジェクト３３７を配置している。
【００６６】
さらに、テンプレート３４０は、最上段の不透明テープにタイトルオブジェクト３４１を配置し、中段の不透明テープの上半分にサブタイトルオブジェクト３４２、下段の不透明テープの上半分にチャンネルオブジェクト３４３と録画長オブジェクト３４４を並べて配置し、下半分に日付オブジェクト３４５とを配置している。
【００６７】
また、透明テープが選択されている場合には、図１２に示すように、配置画面４００の左側に印刷領域４１１を含む透明テープ３枚からなるラベルイメージ４１０を表示する。そして、右側に、ＥＰＧ情報の項目を配置したテンプレートを表示する。図１２の例では、テンプレート４２０，４３０，４４０の３個のテンプレートが表示されている。そして、テンプレート４２０は、最上段にタイトルオブジェクト４２１、その下の段にサブタイトルオブジェクト４２２、３段目にチャンネルオブジェクト４２３と録画長オブジェクト４２４を並べ、４段目に日付オブジェクト４２５、最下段に出演者オブジェクト４２６を配置している。透明テープであるため、テープの継ぎ目を考慮しなくてよいので、例えば日付オブジェクト４２５はテープの重ね合わせ部分にかかって配置されている。
【００６８】
また、テンプレート４３０は、最上段にタイトルオブジェクト４３１を、次段にサブタイトルオブジェクト４３２を配置し、３段目にチャンネルオブジェクト４３３と日付オブジェクト４３４を並べて配置し、下段に出演者オブジェクト４３５を配置している。テンプレート４３０でも、サブタイトルオブジェクト４３２や出演者オブジェクト４３５はテープの重ね合わせ部分にかかって配置されている。
【００６９】
さらに、テンプレート４４０は、最上段にタイトルオブジェクト４４１を配置し、２段目にサブタイトルオブジェクト４４２、３段目にチャンネルオブジェクト４４３を、４段目に日付オブジェクト４４４を、最下段に録画時間オブジェクト４４５と録画長オブジェクト４４６を並べて配置している。
【００７０】
以上のように、テンプレート４２０，４３０，４４０は、不透明テープの場合（図１１）に比べ、重ね合わせを印刷領域に被せて貼り合わせることができるので、オブジェクトの配置位置の自由度が高くなっている。
【００７１】
テンププレート一覧が表示されたら、使用者がテンプレートの選択入力をしてくるのを受け付け（Ｓ７９）、選択されたテンプレートを適用して情報内容をラベルの印刷領域内に配置する（Ｓ８０）。
【００７２】
一方、テンプレートを使わずにラベルを作成する場合には（Ｓ７７：ＮＯ）、まず、図１３及び図１４に示すような設定画面７００を表示して、印刷したいＥＰＧ情報の項目、その印刷順序、文字サイズの設定を受け付ける（Ｓ８１）。図１３及び図１４に示すように、設定画面７００は、チェックボックス欄７０１，印刷順序欄７０２，文字サイズ欄７０３，項目名欄７０４，情報内容欄７０５から構成されている。印刷したい項目のチェックボックス欄７０１にチェックを入れ、チェックの入った項目について、印刷順序欄７０２に印刷順序を番号で入力できるようになっている。さらに、その項目の文字サイズ欄７０３には、Ｓ(小)、Ｍ（中）、Ｌ（大）により、大きさを指定できるようになっている。
【００７３】
また、設定画面７００の右側には、ラベルイメージ６２０又はラベルイメージ５２０が表示されている。ここで、ラベルイメージ６２０は、３本の透明テープを並べてなっており、重ね合わせ部分を自由に調整できるので、印刷領域６２１内には、印刷したい情報内容を自由に配置できるようになっている。また、ラベルイメージ５２０は、３本の不透明テープを並べてなっており、重ね合わせ部分には印刷を行なうことができないため、その部分を避けて、印刷領域５２１内に配置が行なわれる（詳細は後述）。
【００７４】
次に、設定された印刷順序と文字サイズに従って、指定された項目の情報内容をラベル上に配置する配置処理を実行する（Ｓ８２）。配置処理の詳細は、図７を参照して後述する。
【００７５】
以上により、テンプレートを用いる場合にも用いない場合にも、ラベル内に番組情報が配置されてラベルイメージが画面上に表示されたので、配置されたラベルに対して使用者の編集を受け付ける（Ｓ８３）。このように、テンプレートは固定的なものではなく、適用された状態から自由に編集を行なうことができる。編集が終了するまで（Ｓ８４：ＮＯ）、入力を受け付け（Ｓ８３）、編集が終了したら（Ｓ８４：ＹＥＳ）、編集した結果の修飾情報、配置情報等を次回以降印刷の雛型として用いることができるように、テンプレート登録をするか否かを判断する（Ｓ８５）。テンプレート登録は、使用者の任意で選択できるように入力用のダイアログボックスを用意する等の方法で問い合わせることができる。
【００７６】
テンプレート登録する場合には（Ｓ８５：ＹＥＳ）、現在の状態をテンプレートとしてテンプレート記憶エリア１６に記憶させて登録する（Ｓ８６）。また、テンプレート登録を行なわない場合には（Ｓ８５：ＮＯ）、そのままＳ８７に進む。そして、さらに編集を行うか否かを使用者からの入力により判断し（Ｓ８７）、編集を継続する場合には（Ｓ８７：ＹＥＳ）。Ｓ８３に戻る。編集を終了する場合には（Ｓ８７：ＮＯ）、図２のラベル作成処理に戻る。
【００７７】
次に、図７、図１３及び図１４を参照して、データ加工編集処理で実行される配置処理について説明する。まず、図６のＳ８１で指定された文字サイズのうち最大の文字サイズが、使用するテープのテープ幅に印刷可能であるか否かを判断する（Ｓ１０１）。使用するテーププリンタにより、例えば、Ｌサイズの文字はテープ幅９ｍｍのテープでは印刷できない等の制限がある場合があるので、この判断をまず行なう。印刷が不可能な場合は（Ｓ１０１：ＮＯ）、エラーメッセージを表示する等のエラー処理を実行し（Ｓ１０２）、ラベル作成処理全体を終了する。ここで、エラー処理とせずに、データ加工編集処理に戻って文字サイズの設定をやり直させたりしてもよいし、テープ幅との関係で最大文字サイズの設定を予め規制するように構成してもよい。
【００７８】
最大文字サイズが印刷可能な場合は（Ｓ１０１：ＹＥＳ）、次に、印刷順序に従って、印刷データを取得する（Ｓ１０３）。そして、そのデータが、テープに配置可能か否かを判断する（Ｓ１０４）。テープの印刷領域内に配置できない場合には（Ｓ１０４：ＮＯ）、そのままＳ１０７に進む。
【００７９】
テープに配置可能な場合には（Ｓ１０４：ＹＥＳ）、現在取得している印刷データを、現在のテープの印刷領域内の空いている領域の上端に配置する（Ｓ１０５）。そして、次の印刷データがあるか否かを判断する（Ｓ１０６）。次の印刷データがあれば（Ｓ１０６：ＹＥＳ）、Ｓ１０３に戻って次の印刷データを取得し、Ｓ１０４〜Ｓ１０６を繰り返す。
【００８０】
次の印刷データがなければ（Ｓ１０６：ＮＯ）、ラベルを構成しているテープの最終枚目か否かを判断する（Ｓ１０７）。テープの最終枚目でなければ（Ｓ１０７：ＮＯ）、Ｓ１０３に戻り、次の印刷データを取得してＳ１０４〜Ｓ１０６を繰り返す。ここで、Ｓ１０３で次の印刷データを取得する際に、Ｓ１０４で配置不能とされて配置できなかった印刷データについては、再度印刷データを取得して、次の位置で配置できるか否かを判断し（Ｓ１０４）、配置していく（Ｓ１０５）。
【００８１】
テープの最終枚目に達したら（Ｓ１０７：ＹＥＳ）、全ての配置データについて行間の調整を行なう（Ｓ１０８）。ここで、透明テープを使用している場合は、自由に行間の調整を行なうが、不透明テープを使用している場合には、テープの重ね合わせ部分を考慮して行間調整を行なうようにする。以上のようにして配置された結果は、図１３のラベルイメージ７５０及び図１４のラベルイメージ７６０のようになる。そして、図６のデータ加工編集処理に戻る。
【００８２】
次に、図８を参照して、ラベル作成処理で実行される印刷処理について説明する。まず、選択されたテープの種類（透明テープ又は不透明テープ）の装着を指示する（Ｓ１２１）。次に、作成したラベルのテープ幅、及び、テーププリンタに装着されているテープのテープ種類とテープ幅についての情報を取得する（Ｓ１２２）。
【００８３】
次に、装着されているテープのテープ種類及びテープ幅が、作成されたラベルのテープ種類及びテープ幅とあっているか否かを判断する（Ｓ１２３）。テープ種類又はテープ幅が合っていなかった場合には（Ｓ１２３：ＮＯ）、正しいテープ種類又はテープ幅のテープカセットを装着するように指示を表示する（Ｓ１２４）。そして、Ｓ１２３に戻る。テープ種類及びテープ幅が合っている場合には（Ｓ１２３：ＹＥＳ）、プリンタ６２にそのラベルの印刷データを送信して印刷を指示する（Ｓ１２５）。
【００８４】
そして、送信された印刷データが、ラベルを構成するテープの最終枚目であったか否かを判断する（Ｓ１２６）。最終枚目でなければ（Ｓ１２６：ＮＯ）、Ｓ１２５に戻り、次のラベルについての印刷データをプリンタ６２に送信して印刷を指示する。最終枚目の場合には（Ｓ１２６：ＹＥＳ）、印刷が完了したので、図２のラベル作成処理に戻る。
【００８５】
以上説明したように、本実施形態のラベル作成装置１によれば、任意のサイズのラベルを使用者が指定したのを受けて、使用可能なテープを複数枚組み合わせて大きな１枚のラベルとして印刷したい情報を配置することができる。従って、ラベルに印刷したい情報量に比べてテープ幅が狭く、複数枚になってしまう場合にも、何度もラベル作成処理を行なうことなく、あたかも大きな１枚のラベルに印刷するように作業することができ、使い勝手のよいラベル作成装置を提供することができる。
【００８６】
尚、図６のＳ７３で使用者からのサイズ入力を受け付けてそのサイズをラベルサイズとして設定するＣＰＵ１０が本発明のラベルサイズ設定手段として機能する。また、図６のＳ７４でテープ幅と枚数の算出を行なうＣＰＵ１０が本発明のテープ枚数計算手段として機能する。また、図６のＳ７６でテープ幅と枚数の一覧から使用するテープの選択を受け付けるＣＰＵ１０が本発明のテープ幅選択手段として機能する。また、図６のＳ８１で印刷順序と文字サイズの設定を受け付けるＣＰＵ１０が本発明の配置順序設定手段及び文字サイズ設定手段として機能する。また、図６のＳ８２及び図７で配置処理を実行するＣＰＵ１０が本発明の配置手段として機能する。また、図６のＳ７２でテープ種類の選択を受け付けるＣＰＵ１０が本発明のテープ種選択手段として機能する。また、図６のＳ７３で、使用者からのサイズ入力を受け付けるＣＰＵ１０が本発明のラベルサイズ入力手段として機能する。図６のＳ７９で使用者からの入力を受けてテンプレートを選択するＣＰＵ１０が本発明のテンプレート選択手段として機能する。また、図６のＳ８３で編集入力受付処理を実行するＣＰＵ１０が本発明の編集手段として機能する。また、図６のＳ８６でテンプレート登録処理を実行するＣＰＵ１０が本発明のテンプレート登録手段として機能する。図５のＳ６１で選択番組を記憶するＣＰＵ１０が本発明の番組指定手段として機能する。また、図２のＳ６及び図５のＳ６２でＥＰＧ情報を取得するＣＰＵ１０が本発明の番組情報取得手段として機能する。
【００８７】
尚、上記実施形態では、ＥＰＧデータに基づいてラベルを作成する場合を例に説明したが、複数枚のテープにより構成されるラベルは、もちろんこのような番組情報ラベルのみに使用されるものに限られない。例えば、ファイルの内容を示す情報を配置した表紙用のラベル等、種々の情報を用いてラベルを作成することができる。
【図面の簡単な説明】
【００８８】
【図１】ラベル作成装置１の電気的構成を示すブロック図である。
【図２】ラベル作成処理の全体の流れを示すフローチャートである。
【図３】ラベル作成処理の中で実行される、録画予約処理のフローチャートである。
【図４】媒体記録処理及び録画処理のフローチャートである。
【図５】ラベル作成処理の中で実行される、録画済用ラベル作成処理のフローチャートである。
【図６】ラベル作成処理の中で実行される、データ加工編集処理のフローチャートである。
【図７】データ加工編集処理の中で実行される、配置処理のフローチャートである。
【図８】ラベル作成処理の中で実行される、印刷処理のフローチャートである。
【図９】ＥＰＧ情報を表形式に変換した結果のイメージ図である。
【図１０】テープ幅選択画面のイメージ図である。
【図１１】不透明テープの場合のテンプレートを用いた配置処理画面のイメージ図である。
【図１２】透明テープの場合のテンプレートを用いた配置処理画面のイメージ図である。
【図１３】透明テープでテンプレートを用いない場合の配置処理画面のイメージ図である。
【図１４】不透明テープでテンプレートを用いない場合の配置処理画面のイメージ図である。
【符号の説明】
【００８９】
１      ラベル作成装置
１０      ＣＰＵ
１３      ハードディスク
１４      プログラム記憶エリア
１５      ＥＰＧ情報データベース
１６      テンプレート記憶エリア
１７      関連付け情報記憶エリア
２０      アンテナ
２１      チューナー
３１      ビデオレコーダコントローラ
３２      ビデオレコーダ
５１      インターネットコントローラ
６１      プリンタコントローラ
６２      プリンタ
【図１】
2007026234.tif 000003
【図２】
2007026234.tif 000004
【図３】
2007026234.tif 000005
【図４】
2007026234.tif 000006
【図５】
2007026234.tif 000007
【図６】
2007026234.tif 000008
【図７】
2007026234.tif 000009
【図８】
2007026234.tif 000010
【図９】
2007026234.tif 000011
【図１０】
2007026234.tif 000012
【図１１】
2007026234.tif 000013
【図１２】
2007026234.tif 000014
【図１３】
2007026234.tif 000015
【図１４】
2007026234.tif 000016